(57)【特許請求の範囲】
【請求項１】
便器本体と、
洗浄水タンクと、
給水源に接続される給水管に接続され、前記洗浄水タンクの内部に配置される給水部と、
前記洗浄水タンクの内部を通り前記給水部から給水された洗浄水を前記洗浄水タンクに給水する主流路部と、前記給水部よりも下流側において前記主流路部から分岐し前記洗浄水タンクの外部を通ると共に洗浄水を補給水として前記洗浄水タンクの外部において吐出する分岐流路部と、を有する給水流路部と、
前記分岐流路部に配置され前記分岐流路部を流通する水の流れを調整する水流調整機構と、
前記洗浄水タンクの外部に配置され、前記水流調整機構を操作する操作部と、を備える便器洗浄装置。
【請求項２】
便器本体と、
洗浄水タンクと、
前記洗浄水タンクの内部を通り洗浄水を前記洗浄水タンクに給水する主流路部と、前記主流路部から分岐し前記洗浄水タンクの外部を通ると共に洗浄水を補給水として前記洗浄水タンクの外部において吐出する分岐流路部と、を有する給水流路部と、
前記分岐流路部に配置され前記分岐流路部を流通する水の流れを調整する水流調整機構と、
前記洗浄水タンクの外部に配置され、前記水流調整機構を操作する操作部と、
前記便器本体の後方の上面に取り付けられ、前記洗浄水タンクが配置されるベースプレートと、を備え、
前記分岐流路部は、前記ベースプレートに補給水を吐出する吐水部を有する便器洗浄装置。
【請求項３】
前記吐水部から吐出される補給水の勢いを抑制する抑制部を備える請求項２に記載の便器洗浄装置。
【請求項４】
前記吐水部は、前記ベースプレートの中央側に補給水を吐出し、
前記便器洗浄装置は、前記ベースプレートから上方に立ち上がるように形成され前記吐水部から吐出される補給水の流れをガイドするガイド壁を備える請求項２に記載の便器洗浄装置。
【請求項５】
前記洗浄水タンクの下部に接続され、前記洗浄水タンクに貯留された洗浄水を前記便器本体に導出する導出管を有し、
前記ベースプレートは、該ベースプレートに供給された補給水を排出する補給水排出開口部と、前記導出管が挿通される導出管挿通開口部と、を有し、
前記補給水排出開口部は、前記便器本体を前後方向に視た場合に、前記導出管挿通開口部の少なくとも一部に重なる位置に配置される請求項２〜４のいずれかに記載の便器洗浄装置。
【請求項６】
前記ベースプレートは、
該ベースプレートに供給された補給水を排出する補給水排出開口部と、
該ベースプレートの下面において該補給水排出開口部を囲むように形成される環状リブと、を有する請求項２〜５のいずれかに記載の便器洗浄装置。
【発明の詳細な説明】
【技術分野】
【０００１】
本発明は、洗浄水タンクを備える便器洗浄装置に関する。
【背景技術】
【０００２】
従来、洗浄水タンクと、洗浄水タンクの内部に配置されるオーバーフロー管を備える便器洗浄装置が知られている（例えば、特許文献１参照）。特許文献１に記載の便器洗浄装置においては、オーバーフロー管に流入する洗浄水の溢れ水により、一定の量の補給水を便器本体に供給する。補給水は、排水トラップの封水の不足を防止するために、便器本体に補給される。
【０００３】
また、洗浄水タンクと、洗浄水タンクの内部に配置されるオーバーフロー管と、オーバーフロー管の開口部に補給水を供給する補給水供給部と、洗浄水タンクの内部に配置され補給水の量を調整可能な補給水調整ダイヤルと、洗浄水タンクを覆うタンクカバーと、を備える便器洗浄装置が知られている。このような便器洗浄装置においては、洗浄水タンクの内部において、オーバーフロー管に供給される補給水の量を、補給水調整ダイヤルにより調整する操作が可能に構成されている。
【先行技術文献】
【特許文献】
【０００４】
【特許文献１】特許第５１６４０１９号公報
【発明の概要】
【発明が解決しようとする課題】
【０００５】
特許文献１に記載の便器洗浄装置においては、一定の量の補給水を便器本体に供給するため、便器洗浄装置を設置する現場の配管条件などによって、排水トラップの封水の不足の補給水の量が異なった場合に、補給水の量を調整することが難しい。
また、補給水調整ダイヤルで補給水の量を調整する便器洗浄装置においては、洗浄水タンクの内部に補給水調整ダイヤルが配置されるため、便器洗浄装置が設置された後に、タンクカバーを外さないと、補給水の量を調整することが難しい。
そのため、簡易な構成で、タンクカバーを外さずに、便器本体に補給する補給水の量を調整することができる便器洗浄装置が望まれる。
【０００６】
本発明は、簡易な構成で、タンクカバーを外さずに、便器本体に補給する補給水の量を調整することができる便器洗浄装置を提供することを目的とする。
【課題を解決するための手段】
【０００７】
本発明は、便器本体と、洗浄水タンクと、前記洗浄水タンクの内部を通り洗浄水を前記洗浄水タンクに給水する主流路部と、前記主流路部から分岐し前記洗浄水タンクの外部を通ると共に洗浄水を補給水として前記洗浄水タンクの外部において吐出する分岐流路部と、を有する給水流路部と、前記分岐流路部に配置され前記分岐流路部を流通する水の流れを調整する水流調整機構と、前記洗浄水タンクの外部に配置され、前記水流調整機構を操作する操作部と、を備える便器洗浄装置に関する。
【０００８】
また、前記吐水部は、前記ベースプレートの中央側に補給水を吐出し、前記便器洗浄装置は、前記ベースプレートから上方に立ち上がるように形成され前記吐水部から吐出される補給水の流れをガイドするガイド壁を備えることが好ましい。
【０００９】
また、前記吐水部から吐出される補給水の勢いを抑制する抑制部を備えることが好ましい。
【００１０】
また、前記吐水部は、前記ベースプレートの中央側に補給水を吐出し、前記抑制部は、前記ベースプレートから上方に立ち上がるように形成され前記吐水部から吐出される補給水の流れをガイドするガイド壁を有することが好ましい。
【００１１】
また、前記洗浄水タンクの下部に接続され、前記洗浄水タンクに貯留された洗浄水を前記便器本体に導出する導出管を有し、前記ベースプレートは、該ベースプレートに供給された補給水を排出する補給水排出開口部と、前記導出管が挿通される導出管挿通開口部と、を有し、前記補給水排出開口部は、前記便器本体を前後方向に視た場合に、前記導出管挿通開口部の少なくとも一部に重なる位置に配置されることが好ましい。
【００１２】
また、前記ベースプレートは、該ベースプレートに供給された補給水を排出する補給水排出開口部と、該ベースプレートの下面において該補給水排出開口部を囲むように形成される環状リブと、を有することが好ましい。
【発明の効果】
【００１３】
本発明によれば、簡易な構成で、タンクカバーを外さずに、便器本体に補給する補給水の量を調整することができる便器洗浄装置を提供することができる。
【図面の簡単な説明】
【００１４】
【図１】本発明の第１実施形態に係る便器洗浄装置１の斜視図である。
【図２】本発明の第１実施形態に係る便器洗浄装置１において、上部カバー８ａを取り外した状態を示す斜視図である。
【図３】第１実施形態に係る便器洗浄装置１のベースプレート３を上方側から視た場合の斜視図である。
【図４】第１実施形態に係る便器洗浄装置１のベースプレート３を下方側から視た場合の斜視図である。
【図５】第１実施形態に係る便器洗浄装置１のベースプレート３を便器本体２ａに載置した状態で、上方側から視た図である。
【図６】第１実施形態に係る便器洗浄装置１のベースプレート３を上方側から視た場合の部分拡大図である。
【図７】水流調整機構６をベースプレート３に取り付けた状態を斜め後方側から視た斜視図である。
【図８】水流調整機構６をベースプレート３に取り付けた状態を前方側から視た斜視図である。
【図９】水流調整機構６をベースプレート３に取り付けた状態を示す断面図である。
【図１０】水流調整機構６の各構成部分をベースプレート３から取り外した状態を示す斜視図である。
【図１１】第２実施形態に係る便器洗浄装置１のガイド壁６３５を示す斜視図である。
【発明を実施するための形態】
【００１５】
以下、本発明の便器洗浄装置１の第１実施形態について、図面を参照しながら説明する。以下の説明においては、便器洗浄装置１の便座（不図示）に座った人から視た場合の前後の向きを前後方向とする。また、一対の側部カバー８ｂ，８ｂが離間する方向を左右方向とする。また、側部カバー８ｂから上部カバー８ａへ向かう方向（図１の上方向）を上方向とし、その反対方向を下方向とし、これらを上下方向とする。まず、本発明の一実施形態に係る便器洗浄装置１の全体構成について、図１及び図２を参照しながら説明する。
【００１６】
本実施形態の便器洗浄装置１は、図１及び図２に示すように、便器２と、ベースプレート３と、洗浄水タンク４と、操作ダイヤル部７（操作部）を有する水流調整機構６と、上部カバー８ａと、一対の側部カバー８ｂ，８ｂと、を備える。
【００１７】
便器２は、便器本体２ａと、便座（不図示）及び便蓋２ｂと、を含んで構成される。便座（不図示）及び便蓋２ｂは、便器本体２ａの上部に、便器本体２ａに対して回動可能に取り付けられる。
【００１８】
ベースプレート３は、図２に示すように、便器本体２ａの後方の上面に取り付けられる。ベースプレート３の上方には、洗浄水タンク４が配置される。ベースプレート３には、水流調整機構６が取り付けられている。
【００１９】
水流調整機構６は、ベースプレート３に取り付けられ、給水流路部５１０（後述）の分岐流路部５１２を流通する水の流れを調整可能である。
水流調整機構６は、操作ダイヤル部７を有する。操作ダイヤル部７は、水流調整機構６の下方側に配置され、ベースプレート３の下方に突出するように配置される。操作ダイヤル部７は、水流調整機構６における補給水の量を操作可能である。
【００２０】
洗浄水タンク４は、ベースプレート３の上方において、便器２の後方かつ上方に配置され、便器本体２ａを洗浄する洗浄水を貯留する。この洗浄水タンク４は、図２に示すように、上面が開口したタンク本体４０１と、このタンク本体４０１の上面に配置され、タンク本体４０１の上面を覆う蓋部４０２と、を備える。
【００２１】
洗浄水タンク４は、洗浄水タンク４の後端部から前方側に窪むタンク凹部４０５を有する。タンク凹部４０５は、洗浄水タンク４の上下方向の全域に亘って形成されている。タンク凹部４０５は、洗浄水タンク４の左右方向の中央から一方側（図２における左側）にずれた位置に形成される。タンク凹部４０５は、第１壁部４０５ａと、第２壁部４０５ｂと、第３壁部４０５ｃと、により構成される。
【００２２】
第１壁部４０５ａは、洗浄水タンク４の左右方向の一方側（図２における左側）を向く面であり、洗浄水タンク４の前後方向及び上下方向に沿う方向に延びる。第２壁部４０５ｂは、第１壁部４０５ａよりも洗浄水タンク４の左右方向の一方側（図２における左側）において、第１壁部４０５ａに平行に第１壁部４０５ａに対向して配置される。第２壁部４０５ｂは、洗浄水タンク４の左右方向の他方側（図２における右側）を向く面であり、洗浄水タンク４の前後方向及び上下方向に沿う方向に延びる。第３壁部４０５ｃは、第１壁部４０５ａ及び第２壁部４０５ｂの前方側の端辺をつないで形成される。第３壁部４０５ｃは、洗浄水タンク４の前後方向の後方側（図２における手前側）を向く面であり、洗浄水タンク４の左右方向及び上下方向に沿う方向に延びる。
【００２３】
洗浄水タンク４の内部には、図２に示すように、給水部５が配置される。給水部５には、給水流路部５１０が接続される。給水流路部５１０は、給水部５から洗浄水を洗浄水タンク４に供給する。給水部５には、外部の給水源（図示せず）に接続される給水管５０１が接続されている。
【００２４】
給水流路部５１０は、主流路部５１１と、分岐流路部５１２と、を有する。
主流路部５１１は、洗浄水タンク４の内部を通る。主流路部５１１は、給水部５から給水された洗浄水を、洗浄水タンク４に供給する。
分岐流路部５１２は、主流路部５１１から分岐して、洗浄水タンク４の外部を通る。分岐流路部５１２は、給水部５から給水された洗浄水を、便器本体２ａに補給する補給水として、洗浄水タンク４の外部において、ベースプレート３に吐出する。分岐流路部５１２は、下流側の端部において、後述する補給水吐水部６１３ａ（図８参照）を有する。
【００２５】
また、タンク本体４０１の下部には、フロート弁（図示せず）により開閉される排水口（図示せず）が形成されている。タンク本体４０１の排水口（図示せず）は、下方に突出して形成される。そして、フロート弁を引き上げて排水口を開放することにより、タンク本体４０１の内部に貯留された洗浄水が排水口から流出して便器本体２ａに供給され、便器本体２ａが洗浄される。
また、タンク本体４０１の排水口（図示せず）には、後述するディストリビュータ４１０（図５参照）が接続されている。
【００２６】
上部カバー８ａは、図１に示すように、洗浄水タンク４及び他の機能部品を覆うように形成される。
一対の側部カバー８ｂ，８ｂは、便器本体２ａの後方の左右方向の両側の側部を塞ぐように形成される。一対の側部カバー８ｂ，８ｂの形状は、便器本体２ａの左右方向において対称の形状である。
【００２７】
次に、各構成について詳細に説明する。
図３及び図４に示すように、ベースプレート３は、底板部３１０と、上部周壁３２１と、一対の下部側縁壁部３２２，３２２と、延出板部３３０と、２つの載置枠部３４１ａ，３４１ｂと、２つの取付係合部３４２，３４２と、導出管挿通開口部３５０と、第１導出開口部（補給水排出開口部）３６１と、第２導出開口部３６２と、水流調整機構取付部３７０と、２つの第１環状リブ３８１，３８１と、第２環状リブ３８２と、を有する。
【００２８】
底板部３１０は、図３及び図４に示すように、左右方向に延びる板状に形成されている。底板部３１０は、図３に示すように、上面側において、第１導出傾斜面部３１１と、第２導出傾斜面部３１２と、中間板面部３１３と、を有する。中間板面部３１３は、略水平方向に広がるように形成され、底板部３１０の左右方向の略中央に配置される。第１導出傾斜面部３１１及び第２導出傾斜面部３１２は、中間板面部３１３を挟んで、左右方向に離間して配置されている。
【００２９】
第１導出傾斜面部３１１は、底板部３１０における中間板面部３１３の一方側（図３における左側）に配置される。第１導出傾斜面部３１１は、後述する第１導出開口部３６１に向かうに従って下方に傾斜する面状に形成される。第１導出傾斜面部３１１には、水流調整機構６の補給水吐水部６１３ａ（後述）から吐出され且つベースプレート３に一旦供給された補給水が第１導出開口部３６１に向かって流れる。
【００３０】
第２導出傾斜面部３１２は、底板部３１０における中間板面部３１３の他方側（図３における右側）に配置される。第２導出傾斜面部３１２は、後述する第２導出開口部３６２に向かうに従って下方に傾斜する面状に形成される。第２導出傾斜面部３１２には、例えば、洗浄水タンク４の外面に付着して洗浄水タンク４の表面を伝わって落下した結露水や、温水タンク（図示せず）に供給する水の圧力が上がり過ぎるのを防ぐためにリリースされたリリース水が、第２導出開口部３６２に向かって流れる。
【００３１】
上部周壁３２１は、図３に示すように、底板部３１０の上面の周縁から上方に向かって延びると共に、ベースプレート３の周囲を全周に亘って囲むように延びている。
一対の下部側縁壁部３２２，３２２は、図４に示すように、底板部３１０の下面の左右方向の両側の縁部から下方に向かって延びると共に、ベースプレート３の前後方向に延びている。
【００３２】
延出板部３３０は、図３に示すように、略水平方向に広がる板状に形成され、ベースプレート３の前方側に延出して形成される。
【００３３】
導出管挿通開口部３５０は、ベースプレート３の左右方向の略中央に形成される。導出管挿通開口部３５０は、ベースプレート３の底板部３１０を円形状に貫通して形成される。導出管挿通開口部３５０には、タンク本体４０１の排水口（図示せず）が挿通される。
【００３４】
ディストリビュータ４１０（導出管）は、図５に示すように、ベースプレート３の下方において、便器本体２ａの後方の上部に配置される。ディストリビュータ４１０は、洗浄水タンク４に貯留された洗浄水を便器本体２ａに導出する。ディストリビュータ４１０は、洗浄水タンク４の下部の排水口（図示せず）に接続される基端部４１１と、基端部４１１から左右方向に分岐して延びる２本の分岐ホース４１２，４１２と、を有する。
【００３５】
ディストリビュータ４１０の基端部４１１は、導出管挿通開口部３５０に挿通された洗浄水タンク４の下部の排水口（図示せず）に接続される。ディストリビュータ４１０の２本の分岐ホース４１２，４１２は、それぞれ、便器本体２ａの２つの導水供給路（図示せず）に配置される。便器本体２ａの２つの導水供給路（図示せず）は、それぞれ、便器本体２ａの左右方向の外側において、便器本体２ａの後方から前方に向かうように、便器本体２ａの内部に延びている。２本の分岐ホース４１２，４１２は、導出管挿通開口部３５０の左右方向の両側から、それぞれ、便器本体２ａの後方から前方に向かうに従って、便器本体２ａの左右方向の外側に向かうように延びている。
洗浄水タンク４の排水口（図示せず）から排出された洗浄水は、ディストリビュータ４１０を経由して、便器本体２ａの内部に排出される。これにより、便器本体２ａの洗浄が実行される。
【００３６】
第１導出開口部３６１は、図３に示すように、第１導出傾斜面部３１１の前方側において、第１導出傾斜面部３１１と中間板面部３１３との境界に形成される。第１導出開口部３６１は、底板部３１０を貫通して形成される。第１導出開口部３６１は、ベースプレート３に供給された補給水を、ベースプレート３の下方に配置される便器本体２ａに排出する。
【００３７】
第１導出開口部３６１から排出された補給水は、便器本体２ａに供給され、便器本体２ａの内部の排水トラップ部分（図示せず）に供給される。例えばサイフォン式便器及び洗い落とし式便器において、洗浄水タンク４の外部を通して分岐流路部５１２を流通された補給水を、ベースプレート３を介して便器本体２ａの内部の排水トラップ部分（図示せず）に供給する。これにより、便器洗浄装置を設置する現場の配管状況などにより排水トラップ部分での封水の不足が生じる場合において、排水トラップ部分での封水の不足を防止することができる。
【００３８】
第２導出開口部３６２は、図３に示すように、第２導出傾斜面部３１２の前方側において、第２導出傾斜面部３１２と中間板面部３１３との境界に形成される。第２導出開口部３６２は、底板部３１０を貫通して形成される。第２導出開口部３６２は、ベースプレート３で受け止めた水を、ベースプレート３の下方に配置される便器本体２ａに排出する。
【００３９】
第１導出開口部３６１及び第２導出開口部３６２は、それぞれ、図５に示すように、便器本体２ａを前後方向に視たときに、導出管挿通開口部３５０の少なくとも一部３５１，３５２に重なる位置に配置される。言い換えると、第１導出開口部３６１及び第２導出開口部３６２は、導出管挿通開口部３５０寄りに配置されている。本実施形態においては、導出管挿通開口部３５０がベースプレート３の略中央に配置されているため、第１導出開口部３６１及び第２導出開口部３６２は、ベースプレート３の左右方向の中央寄りに配置される。これにより、第１導出開口部３６１及び第２導出開口部３６２は、ディストリビュータ４１０の２本の分岐ホース４１２，４１２を避けた位置に配置される。
【００４０】
２つの載置枠部３４１ａ，３４１ｂは、図３に示すように、底板部３１０の上面に形成される。一方の載置枠部３４１ａは、第１導出傾斜面部３１１に配置される。他方の載置枠部３４１ｂは、第２導出傾斜面部３１２に配置される。２つの載置枠部３４１ａ，３４１ｂには、洗浄水タンク４の底部に形成される載置凸部（図示せず）が載置される。２つの載置枠部３４１ａ，３４１ｂに洗浄水タンク４の底部の載置凸部（図示せず）が載置されることで、洗浄水タンク４は、ベースプレート３の上面との間に上下方向に隙間を形成した状態で、ベースプレート３の上面に配置される。
【００４１】
２つの取付係合部３４２は、図３に示すように、底板部３１０の上面における導出管挿通開口部３５０の左右方向の両側の近傍に形成される。２つの取付係合部３４２には、洗浄水タンク４をベースプレート３に取り付ける際に、洗浄水タンク４の底部に形成される係合部（図示せず）が係合される。
【００４２】
２つの第１環状リブ３８１，３８１は、図４に示すように、底板部３１０の下面に形成される。２つの第１環状リブ３８１，３８１は、それぞれ、第１導出開口部３６１及び第２導出開口部３６２それぞれの周縁に沿って、第１導出開口部３６１及び第２導出開口部３６２を囲むように、底板部３１０の下面から下方に立ち上がるように形成される。２つの第１環状リブ３８１，３８１は、それぞれ、第１導出開口部３６１及び第２導出開口部３６２それぞれの周縁の全域に設けられる。
【００４３】
第２環状リブ３８２は、底板部３１０の下面に形成される。第２環状リブ３８２は、２つの第１環状リブ３８１，３８１の外側において、２つの第１環状リブ３８１，３８１の両方を囲むように、底板部３１０の下面から下方に立ち上がるように形成される。
【００４４】
水流調整機構取付部３７０は、図３に示すように、ベースプレート３の後方側の一方側（図３における左側）に配置される。水流調整機構取付部３７０には、水流調整機構６が取り付けられる。水流調整機構取付部３７０には、水流調整機構６の操作ダイヤル部７がベースプレート３の下方に位置するように取り付けられる。
水流調整機構取付部３７０は、図６に示すように、貫通開口３７１と、円筒状リブ壁３７２と、側壁３７３と、下面環状凸部３７４（図４参照）と、を有する。
【００４５】
貫通開口３７１は、ベースプレート３の底板部３１０を円形状に開口して形成される。貫通開口３７１には、後述する水流調整機構６が挿通して配置される。
円筒状リブ壁３７２は、円筒状に形成され、貫通開口３７１の周縁に沿って、ベースプレート３の底板部３１０の上面から上方に立ち上がるように形成される。円筒状リブ壁３７２の上端部には、水流調整機構６（後述）の操作機構本体部６１０の方形筒部６１１ｂ（図８参照）の下面が当接する。
【００４６】
側壁３７３は、ベースプレート３の底板部３１０から上方に立ち上がるように形成されると共に、前後方向に延びるように形成される。側壁３７３は、円筒状リブ壁３７２の接線に沿う平板状に形成される。側壁３７３は、円筒状リブ壁３７２の他方側（図６における右側）に接続される。側壁３７３の上端部には、半円弧状に窪む凹部３７３ａが形成されている。凹部３７３ａには、水流調整機構６（後述）の操作機構本体部６１０の導出管部６１３（図８参照）が配置される。
【００４７】
下面環状凸部３７４は、図４に示すように、底板部３１０の下面において、貫通開口３７１の周縁に形成される。下面環状凸部３７４は、水流調整機構６の操作ダイヤル部７がベースプレート３に取り付けられた際に、ベースプレート３の底板部３１０が傾斜していることの影響により操作ダイヤル部７が傾かないように、底板部３１０の下面における貫通開口３７１の周縁が水平になるように突出して形成される。下面環状凸部３７４は、図４に示すように、底板部３１０の下面における貫通開口３７１の周縁において、下面環状凸部３７４の下面が水平になるように、第１導出開口部３６１から離れるに従って突出量が徐々に大きくなるように突出して形成される。
下面環状凸部３７４には、後述する操作ダイヤル部７の上部に配置されるフランジ部７３０の上面の外周縁が対向して配置される（図９参照）。
【００４８】
水流調整機構６は、図７〜図９に示すように、分岐流路部５１２に配置される。水流調整機構６は、分岐流路部５１２を流通する水の流れを調整する。
分岐流路部５１２は、図８及び図９に示すように、主流路部５１１との接続部分から水流調整機構６までの第１分岐流路部５１２ａと、水流調整機構６の内部を通り補給水吐水部６１３ａまでの第２分岐流路部５１２ｂと、を有する。本実施形態においては、第１分岐流路部５１２ａは、例えば、ホースで構成される。
【００４９】
水流調整機構６は、図７〜図１０に示すように、ベースプレート３の水流調整機構取付部３７０に取り付けられる。水流調整機構６は、操作機構本体部６１０と、操作部としての操作ダイヤル部７と、ストップリング６２０と、水流抑制部６３０と、を備える。
【００５０】
操作機構本体部６１０は、図９及び図１０に示すように、ベースプレート３の上方において、水流調整機構取付部３７０に取り付けられる。操作機構本体部６１０は、本体管部６１１と、導入管部６１２と、導出管部６１３と、を有する。
【００５１】
本体管部６１１は、上下方向に延びる筒状に形成され、上部側が閉止されると共に、上部側の側部の両側が開放される。本体管部６１１は、上部円筒部６１１ａと、方形筒部６１１ｂと、下部円筒部６１１ｄと、を有する。上部円筒部６１１ａ、方形筒部６１１ｂ及び下部円筒部６１１ｄは、互いの内部空間が、上下方向に連通する。
【００５２】
上部円筒部６１１ａは、本体管部６１１の上部に配置され、上部が閉止された円筒状に形成される。上部円筒部６１１ａの上部の側部の一方側（図９における左側）には、導入管部６１２が接続されている。上部円筒部６１１ａの上部の側部の他方側（図９における右側）には、導出管部６１３が接続されている。導入管部６１２、上部円筒部６１１ａ及び導出管部６１３は、互いの内部空間が、左右方向に連通する。導入管部６１２、上部円筒部６１１ａ及び導出管部６１３における左右方向に連通する部分は、第２分岐流路部５１２ｂを構成する。
【００５３】
方形筒部６１１ｂは、外形が略直方体形状に形成される。方形筒部６１１ｂは、上部円筒部６１１ａの下端部に接続され、本体管部６１１の上下方向の途中において、外方に突出するように形成される。方形筒部６１１ｂの下端部は、水流調整機構取付部３７０の円筒状リブ壁３７２の上端部に当接する。方形筒部６１１ｂの内部には、一対の方形貫通溝６１１ｃ，６１１ｃが形成される。一対の方形貫通溝６１１ｃ，６１１ｃは、便器本体２ａの前後方向に方形状に貫通する溝状に形成される。方形貫通溝６１１ｃ，６１１ｃには、ストップリング６２０が挿入される。
【００５４】
下部円筒部６１１ｄは、円筒状に形成される。下部円筒部６１１ｄは、方形筒部６１１ｂの下端部に接続され、本体管部６１１の下部に配置される。下部円筒部６１１ｄは、水流調整機構取付部３７０の円筒状リブ壁３７２の内部空間に配置される。下部円筒部６１１ｄの外周面には、第１Ｏリング６４１が配置される外周止水用溝６１１ｅが形成される。
【００５５】
外周止水用溝６１１ｅには、第１Ｏリング６４１が配置される。第１Ｏリング６４１は、外周止水用溝６１１ｅに配置された状態で、本体管部６１１と水流調整機構取付部３７０の円筒状リブ壁３７２との間に配置される。これにより、第１Ｏリング６４１は、操作機構本体部６１０とベースプレート３との間を止水する。
【００５６】
導入管部６１２は、本体管部６１１の上端部の一方の側部に接続され、本体管部６１１の上端部の一方の側部から上方側に屈曲し、屈曲した部分から上方側に所定長さ延びる。導入管部６１２の上端部は、第１分岐流路部５１２ａに接続される。
【００５７】
導出管部６１３は、本体管部６１１の上端部の他方の側部に接続され、本体管部６１１の上端部の他方の側部から水平方向に所定長さ延びる。導出管部６１３の先端には、吐水部としての補給水吐水部６１３ａが設けられる。別の言い方をすると、補給水吐水部６１３ａは、分岐流路部５１２（第２分岐流路部５１２ｂ）の先端に設けられる。
【００５８】
補給水吐水部６１３ａは、洗浄水タンク４の外部において、分岐流路部５１２を流通する洗浄水を、便器本体２ａに供給する補給水として吐出する。本実施形態においては、補給水吐水部６１３ａは、ベースプレート３に補給水を吐出する。補給水吐水部６１３ａからは、水流調整機構６により調整された水量の補給水が吐出される。補給水吐水部６１３ａは、ベースプレート３の底板部３１０から上方に離間した操作機構本体部６１０の上方側の位置において、底板部３１０に沿う方向に、補給水を吐出する。本実施形態においては、補給水吐水部６１３ａは、ベースプレート３の底板部３１０から上方に離間した位置で、便器本体２ａの左右方向の他方側（図９における右側）に、略水平方向に、補給水を吐出する。導出管部６１３の補給水吐水部６１３ａの上端部からは、後述する水流抑制部６３０の屋根壁部６３２が水平方向（左右方向）に延びている。
【００５９】
操作ダイヤル部７は、図９及び図１０に示すように、上方側の部分（後述する流量調整筒部７１０）が操作機構本体部６１０の本体管部６１１の内部に配置され、本体管部６１１の周方向に回転可能に配置される。操作ダイヤル部７は、水流調整機構６を操作することができ、水流調整機構６を操作することで、分岐流路部５１２を流通する水の流れを調整することができる。操作ダイヤル部７は、洗浄水タンク４の外部において、ベースプレート３の下方から突出するように、ベースプレート３に取り付けられる。操作ダイヤル部７は、上下方向に延びて形成され、上部が閉止された筒状に形成される。
【００６０】
操作ダイヤル部７は、流量調整筒部７１０と、流量調整筒部７１０の下方に配置された操作把持部７２０と、操作ダイヤル部７の外周面から突出するフランジ部７３０と、を有する。
【００６１】
流量調整筒部７１０は、操作ダイヤル部７の上部に配置される。流量調整筒部７１０は、操作機構本体部６１０における上部円筒部６１１ａ及び方形筒部６１１ｂの内部空間に亘って上下方向に延びて配置される。
流量調整筒部７１０は、流量調整貫通穴７１１と、第１内周止水用溝７１２と、第２内周止水用溝７１３と、ストップリング係止溝７１４と、導入部側止水環状突起７１５ａと、導出部側止水環状突起７１５ｂと、を有する。
【００６２】
流量調整貫通穴７１１は、流量調整筒部７１０の上部において水平方向に延びて貫通する。流量調整貫通穴７１１は、操作ダイヤル部７が回転されることで、流量調整貫通穴７１１が導入管部６１２及び導出管部６１３を連通する連通位置（図示せず）と連通しない非連通位置（図９参照）との間を、補給水の流量を調整するように回転可能である。
【００６３】
流量調整貫通穴７１１の連通位置（図示せず）は、流量調整貫通穴７１１が延びる方向と導入管部６１２及び導出管部６１３をつなぐ方向とが一致する位置である。
流量調整貫通穴７１１の非連通位置（図９参照）は、流量調整貫通穴７１１が延びる方向と導入管部６１２及び導出管部６１３をつなぐ方向とが直交する位置である。
流量調整貫通穴７１１は、連通位置と非連通位置との間を回転して移動することで、回転角度により開口面積が変化される。これにより、流量調整貫通穴７１１は、導入管部６１２から導入された補給水の流量が連続的に変化するように調整して、導出管部６１３から導出することができる。
【００６４】
なお、操作ダイヤル部７を、補給水の流量を段階的に調整可能に構成してもよい。例えば、操作ダイヤル部７の外面に凹凸などを設けて、操作ダイヤル部７の回転位置を補給水の流量に応じて複数箇所で引っ掛かるように構成して、操作ダイヤル部７を回転させる際の凹凸に引っ掛かる際の音や手の感覚などにより、補給水の流量を設定できるように構成してもよい。
【００６５】
導入部側止水環状突起７１５ａは、図９及び図１０に示すように、流量調整貫通穴７１１が非連通位置に位置する場合において、本体管部６１１の内面における導入管部６１２との接続部分の開口の周縁に当接する位置に配置され、流量調整筒部７１０の外面から環状に突出して形成される。導入部側止水環状突起７１５ａは、流量調整貫通穴７１１が非連通位置に位置する場合において、本体管部６１１の内面における導入管部６１２との接続部分の開口の周縁に当接して、導入管部６１２から本体管部６１１側へ補給水を流通させないように止水する。
【００６６】
導出部側止水環状突起７１５ｂは、図９及び図１０に示すように、流量調整貫通穴７１１が非連通位置に位置する場合において、本体管部６１１の内面における導出管部６１３との接続部分の開口の周縁に当接する位置に配置され、流量調整筒部７１０の外面から環状に突出して形成される。導出部側止水環状突起７１５ｂは、流量調整貫通穴７１１が非連通位置に位置する場合において、本体管部６１１の内面における導出管部６１３との接続部分の開口の周縁に当接して、本体管部６１１から導入管部６１２側へ補給水を流通させないように止水する。
【００６７】
第１内周止水用溝７１２、第２内周止水用溝７１３及びストップリング係止溝７１４は、それぞれ、流量調整筒部７１０の外周面において、流量調整筒部７１０の外周面の周方向に沿って溝状に形成される。
【００６８】
ストップリング係止溝７１４は、図９に示すように、流量調整筒部７１０の上下方向の略中央に形成される。ストップリング係止溝７１４には、操作ダイヤル部７が操作機構本体部６１０の本体管部６１１の内部空間に配置された状態において、ストップリング６２０が配置される。ストップリング６２０は、操作ダイヤル部７を操作機構本体部６１０に固定する。
【００６９】
第１内周止水用溝７１２は、流量調整筒部７１０におけるストップリング係止溝７１４よりも下方側に形成される。第１内周止水用溝７１２には、第２Ｏリング７４１が配置される。第２Ｏリング７４１は、第１内周止水用溝７１２に配置された状態で、操作機構本体部６１０の本体管部６１１と流量調整筒部７１０との間に配置される。これにより、第２Ｏリング７４１は、流量調整筒部７１０の下方側において、操作機構本体部６１０の本体管部６１１と流量調整筒部７１０との間を止水する。
【００７０】
第２内周止水用溝７１３は、流量調整筒部７１０におけるストップリング係止溝７１４よりも上方側に形成される。第２内周止水用溝７１３には、第３Ｏリング７４２が配置される。第３Ｏリング７４２は、第２内周止水用溝７１３に配置された状態で、操作機構本体部６１０の本体管部６１１と流量調整筒部７１０との間に配置される。これにより、第３Ｏリング７４２は、流量調整筒部７１０における流量調整貫通穴７１１とストップリング係止溝７１４との間において、操作機構本体部６１０の本体管部６１１と流量調整筒部７１０との間を止水する。
【００７１】
操作把持部７２０は、図９及び図１０に示すように、流量調整筒部７１０の下端部に接続され、流量調整筒部７１０から下方に向けて延びて形成される。操作把持部７２０は、略方形筒状に形成され、上下方向に貫通する。流量調整筒部７１０及び操作把持部７２０は、上下方向に直線状に連続して形成され、互いの内部空間は上下方向に連通している。
【００７２】
フランジ部７３０は、流量調整筒部７１０と操作把持部７２０との境界部分の外周面から突出して形成され、略水平方向に広がる円環状の板状に形成される。フランジ部７３０の上面の外周縁は、ベースプレート３の底板部３１０の下面における貫通開口３７１の周縁において、底板部３１０の下面環状凸部３７４に対向して配置される。フランジ部７３０は、底板部３１０の下面環状凸部３７４に対向して配置されることで、水平状態を維持することができる。これにより、フランジ部７３０が傾くことが低減されて、操作ダイヤル部７のガタツキを低減することができる。
【００７３】
ストップリング６２０は、図１０に示すように、基部６２１と、リング係止部６２２と、を有する。基部６２１は、手で把持される部分である。リング係止部６２２は、略Ｃ字形状に形成される。リング係止部６２２の閉止端は、基部６２１に接続される。リング係止部６２２の開放端は、操作ダイヤル部７が操作機構本体部６１０の本体管部６１１の内部に配置された状態において、図９に示すように、操作ダイヤル部７のストップリング係止溝７１４に配置される。これにより、ストップリング６２０は、操作ダイヤル部７を操作機構本体部６１０に固定する。
【００７４】
水流抑制部６３０は、導出管部６１３の補給水吐水部６１３ａから吐出された補給水の勢いを弱めて、補給水吐水部６１３ａから吐出された補給水の勢いを抑制する。水流抑制部６３０は、図８〜図１０に示すように、対向壁部６３１と、屋根壁部６３２と、を有する。
【００７５】
対向壁部６３１は、ベースプレート３の底板部３１０から上方に立ち上がるように形成され、導出管部６１３の補給水吐水部６１３ａに対向して配置される。対向壁部６３１は、補給水吐水部６１３ａから吐出された補給水を受ける。対向壁部６３１は、一方側がベースプレート３の後方側の上部周壁３２１に接続され、他方側がベースプレート３の内側に向けて延びる。対向壁部６３１の上部には、円弧状に突出する円弧状突起６３１ａが形成される。
【００７６】
屋根壁部６３２は、操作機構本体部６１０の導出管部６１３に連続して形成される。屋根壁部６３２は、導出管部６１３の補給水吐水部６１３ａの吐水口の上部から、導出管部６１３から離れるように、対向壁部６３１側に略水平方向に延びる。屋根壁部６３２は、円弧状部６３２ａと、平板状部６３２ｂ，６３２ｂと、を有する。
【００７７】
円弧状部６３２ａは、前後方向の断面が上方に突出する円弧状に形成され、導出管部６１３の補給水吐水部６１３ａの上端部から、対向壁部６３１に向かって直線状に延びる。
平板状部６３２ｂ，６３２ｂは、円弧状部６３２ａの前後方向の両縁部に沿って略水平に形成され、対向壁部６３１に向かって延びる。
【００７８】
以上のように構成される水流抑制部６３０は、対向壁部６３１により、導出管部６１３の補給水吐水部６１３ａから吐出された補給水の勢いを弱めると共に、屋根壁部６３２により、上方側への補給水の飛散を抑制して、補給水の勢いを抑制することができる。
【００７９】
次に、水流調整機構６をベースプレート３に取り付ける手順について説明する。
まず、図２に示すように、上部カバー８ａをベースプレート３に取り付けていない状態で、作業者は、図１０に示すように、ベースプレート３の上方側から、水流調整機構６の操作機構本体部６１０を、ベースプレート３の水流調整機構取付部３７０の円筒状リブ壁３７２に挿入して、方形筒部６１１ｂの下端部を、水流調整機構取付部３７０の円筒状リブ壁３７２の上端部に当接させる。
【００８０】
次に、ベースプレート３の下方側から、操作機構本体部６１０の内部に操作ダイヤル部７を挿入する。
続けて、ストップリング６２０を、流量調整筒部７１０のストップリング係止溝７１４に挿入して、ストップリング６２０により、操作ダイヤル部７を操作機構本体部６１０に固定する。
そして、第１分岐流路部５１２ａの先端部を操作機構本体部６１０の導入管部６１２に取り付ける。
これにより、水流調整機構６をベースプレート３に取り付けることができる。
【００８１】
このように、ストップリング６２０をベースプレート３の上方側に配置していることで、ベースプレート３の上方側から、水流調整機構６をベースプレート３に組み付けることができる。そのため、水流調整機構６をベースプレート３に組み付ける際の組み付け性が良好である。
【００８２】
その後、図１に示すように、上部カバー８ａを、洗浄水タンク４を覆うように、洗浄水タンク４に被せて、上部カバー８ａをベースプレート３に取り付ける。
【００８３】
この状態においては、図２に示すように、水流調整機構６の操作ダイヤル部７は、ベースプレート３の後部において、ベースプレート３の下方から下方に向けて突出している。ベースプレート３の下方に操作ダイヤル部７が配置されているため、ベースプレート３の下方において、施工時の作業者は、操作ダイヤル部７を操作することができる。また、設置後においても、作業者は、上部カバー８ａを外さずに、操作ダイヤル部７を操作することができる。
従って、便器洗浄装置１から上部カバー８ａを外さなくても、操作ダイヤル部７を操作して、便器本体２ａに補給する補給水の量を調整することができる。
【００８４】
なお、操作ダイヤル部７は、便器本体２ａに補給する補給水の流量を調整するものであることから、便器洗浄装置１の施工業者等の作業者が操作できれば十分である。作業者は、例えば、便器洗浄装置１を設置した際、又は、便器洗浄装置１を設置した後において、操作ダイヤル部７を操作して、便器本体２ａに補給する補給水の流量を調整する。また、操作ダイヤル部７による補給水の流量の調整は、通常、頻繁に行われるものではなく、一度調整された後には、その調整の設定のままで使用される場合が多い。ただし、便器洗浄装置１を設置した現場の配管などの状況に応じて、便器洗浄装置１を設置した際、又は、便器洗浄装置１を設置した後において、操作ダイヤル部７による補給水の流量の調整が必要となる場合がある。
【００８５】
また、ベースプレート３の下方に操作ダイヤル部７を設けるため、操作ダイヤル部７は、外部から視認しづらい位置に配置される。そのため、上部カバー８ａの側面に操作ダイヤル部を配置する場合よりも、意匠性が向上される。
【００８６】
また、操作ダイヤル部７をベースプレート３の水流調整機構取付部３７０に取り付けた状態においては、補給水吐水部６１３ａは、ベースプレート３の底板部３１０から上方に離間した操作機構本体部６１０の上方側の位置において、底板部３１０に沿う方向に、補給水を吐出する。補給水吐水部６１３ａが操作機構本体部６１０の上方側の位置に配置されるため、操作機構本体部６１０の内部空間に配置される操作ダイヤル部７を、上方側の位置に配置できる。これにより、操作ダイヤル部７のベースプレート３の下方への突出量を、小さくすることができる。従って、操作ダイヤル部７を、ベースプレート３の下方に突出し過ぎることなく、コンパクトに配置できる。よって、操作ダイヤル部７を目立ちにくい位置に配置でき、操作ダイヤル部７の誤操作を防止できる。
【００８７】
以上のように構成される便器洗浄装置１においては、水流調整機構６は、操作ダイヤル部７が回転されることで、流量調整貫通穴７１１の向きを変更して、補給水の流量を調整することができる。具体的には、例えば、作業者は、便器洗浄装置１を設置した現場の配管などの状況に応じて、操作ダイヤル部７を回転させることで、流量調整貫通穴７１１の開口面積を変化させて、便器本体２ａに補給する補給水の流量を調整することができる。
【００８８】
そして、便器本体２ａの洗浄時においては、操作ダイヤル部７により流量が調整された補給水が、水流調整機構６の補給水吐水部６１３ａにより吐出されて、一旦ベースプレート３に供給される。補給水として一旦ベースプレート３に供給された補給水は、第１導出傾斜面部３１１を流れて、第１導出開口部３６１を介して、便器本体２ａに排出される。これにより、水流調整機構６により流量が調整された補給水が、便器本体２ａに補給される。
【００８９】
ここで、本実施形態の便器洗浄装置１においては、水流調整機構６は、ベースプレート３に取り付けられている。また、操作ダイヤル部７は、ベースプレート３に取り付けられている。そのため、水流調整機構６と操作ダイヤル部７とがワイヤーなどの長い接続ケーブルを介して接続される場合よりも、操作ダイヤル部７は、水流調整機構６の操作において、補給水の流量の調整範囲を広く確保することが可能であると共に、補給水の流量の調整を精度よく行うことが可能である。
特に、本実施形態においては、操作ダイヤル部７が水流調整機構６に直接接続された状態で、水流調整機構６は、ベースプレート３に取り付けられている。操作ダイヤル部７が水流調整機構６に直接接続されているため、操作ダイヤル部７は、水流調整機構６の操作において、補給水の流量の調整範囲をより広く確保することが可能であると共に、補給水の流量の調整をより精度よく行うことが可能である。
【００９０】
また、補給水吐水部６１３ａは、ベースプレート３に沿う方向に補給水を吐出する。補給水吐水部６１３ａから吐出される補給水の勢いを抑制する水流抑制部６３０を備える。水流抑制部６３０は、対向壁部６３１と、屋根壁部６３２と、を有する。そのため、水流抑制部６３０により、補給水吐水部６１３ａから吐出される補給水の勢いを弱めて、補給水吐水部６１３ａから吐出される補給水の勢いを抑制できる。
【００９１】
また、ベースプレート３の下面において、第１導出開口部３６１を囲むように形成される第１環状リブ３８１と、第１環状リブ３８１を囲むように形成される第２環状リブ３８２と、が形成されている。そのため、ベースプレート３の下面において、第１導出開口部３６１の周囲が二重のリブに囲まれているため、第１導出開口部３６１から便器本体２ａの排出される補給水が周囲に飛び散ることが低減される。
【００９２】
また、第１導出開口部３６１は、便器本体２ａを前後方向に視たときに、導出管挿通開口部３５０の少なくとも一部３５１，３５２に重なる位置に配置される。そのため、第１導出開口部３６１は、ディストリビュータ４１０の２本の分岐ホース４１２，４１２を避けた位置に配置されている。よって、第１導出開口部３６１から排出される補給水は、ディストリビュータ４１０に当たることが抑制されるため、補給水がディストリビュータ４１０に当たって周囲に飛び散ることが抑制される。
【００９３】
以上説明した本実施形態の便器洗浄装置１によれば、以下のような効果を奏する。
本実施形態の便器洗浄装置１は、便器本体２ａと、洗浄水タンク４と、洗浄水タンク４の内部を通り洗浄水を洗浄水タンク４に給水する主流路部５１１と、主流路部５１１から分岐し洗浄水タンク４の外部を通ると共に洗浄水を補給水として洗浄水タンク４の外部において吐出する分岐流路部５１２と、を有する給水流路部５１０と、分岐流路部５１２に配置され分岐流路部５１２を流通する水の流れを調整する水流調整機構６と、洗浄水タンク４の外部に配置され、水流調整機構６を操作する操作ダイヤル部７と、を備える。
そのため、洗浄水タンク４の外部において、便器本体２ａに補給する補給水の量を調整することができる。従って、簡易な構成で、上部カバー８ａを外さずに、便器本体２ａに補給する補給水の量を調整することができる。
【００９４】
また、本実施形態においては、便器本体２ａの後方の上面に取り付けられ、洗浄水タンク４が配置されるベースプレート３を更に備え、分岐流路部５１２は、ベースプレート３に補給水を吐出する補給水吐水部６１３ａを有し、操作ダイヤル部７は、ベースプレート３に取り付けられる。
そのため、ベースプレート３に一旦供給された補給水を便器本体２ａに供給することができる。また、ベースプレート３に取り付けられた操作ダイヤル部７を操作することで、便器本体２ａに補給する補給水の量を調整することができる。
【００９５】
また、本実施形態においては、補給水吐水部６１３ａから吐出される補給水の勢いを抑制する水流抑制部６３０を備える。そのため、水流抑制部６３０により補給水吐水部６１３ａから吐出される補給水の勢いを抑制することで、ベースプレート３に供給される補給水が周囲に飛び散ることを低減することができる。
【００９６】
また、本実施形態においては、補給水吐水部６１３ａは、ベースプレート３の上面に沿う方向に補給水を吐出し、水流抑制部６３０は、ベースプレート３から上方に立ち上がるように形成され補給水吐水部６１３ａに対向して配置される対向壁部６３１と、補給水吐水部６１３ａの吐水口の上部から対向壁部６３１側に略水平方向に延びる屋根壁部６３２と、を有する。
【００９７】
そのため、対向壁部６３１が、補給水吐水部６１３ａから吐出した補給水を受けて水平方向への補給水の噴出を抑制すると共に、屋根壁部６３２が、補給水吐水部６１３ａから吐出した補給水及び対向壁部６３１が受けた補給水を上方に飛び散らないようにガードすることができる。従って、簡易な構成で、ベースプレート３に供給される補給水が周囲に飛び散ることを低減して、補給水の勢いを抑制することができる。
【００９８】
また、本実施形態においては、第１導出開口部３６１は、便器本体２ａを前後方向に視た場合に、導出管挿通開口部３５０の少なくとも一部に重なる位置に配置される。
そのため、第１導出開口部３６１は、ディストリビュータ４１０の２本の分岐ホース４１２，４１２を避けた位置に配置されている。よって、第１導出開口部３６１から排出される補給水は、ディストリビュータ４１０に当たることが抑制されるため、補給水がディストリビュータ４１０に当たって周囲に飛び散ることが抑制される。
【００９９】
また、ベースプレート３の下面において、第１導出開口部３６１を囲むように第１環状リブ３８１が形成されているため、第１導出開口部３６１から便器本体２ａの排出される補給水が周囲に飛び散ることが低減される。
【０１００】
次に、本発明の第２実施形態に係る便器洗浄装置１の構成について、図１１を参照して説明する。なお、第２実施形態では、主に第１実施形態との相違点について説明する。第２実施形態では、第１実施形態と同一又は同等の構成については同じ符号を付して説明する。また、第２実施形態では、第１実施形態と重複する説明を適宜に省略する。
【０１０１】
図１１に示すように、第２実施形態に係る便器洗浄装置１においては、水流調整機構６Ａの補給水吐水部６１３ａが補給水を吐出する向き、及びガイド壁６３５の構成が、第１実施形態と主に異なる。
【０１０２】
第２実施形態の水流調整機構６Ａの補給水吐水部６１３ａの吐出口は、図１１に示すように、ベースプレート３の左右方向の中央側を向いている。水流調整機構６Ａの補給水吐水部６１３ａの吐出口は、ベースプレート３の前後方向の中央側を向いている。補給水吐水部６１３ａは、ベースプレート３の底板部３１０から上方に離間した位置で、略水平方向に、ベースプレート３の左右方向の中央側に補給水を吐出する。本実施形態においては、補給水吐水部６１３ａは、洗浄水タンク４のタンク凹部４０５側に向けて補給水を吐出する。
【０１０３】
便器洗浄装置１は、ガイド壁６３５を備える。ガイド壁６３５は、補給水吐水部６１３ａから吐出される補給水の流れをガイドする。
【０１０４】
ガイド壁６３５は、ベースプレート３の左右方向の中央から一方側（図１１における左側）にずれた位置において、洗浄水タンク４のタンク凹部４０５の下方側に配置される。ガイド壁６３５は、ベースプレート３の上面から上方に立ち上がるように形成される。ガイド壁６３５は、水流調整機構６Ａの補給水吐水部６１３ａから吐出される補給水をガイドするように、補給水吐水部６１３ａ側の面が凹となるように湾曲して、ベースプレート３の後方側から前方側に向かって、補給水吐水部６１３ａの吐出口の側方の近傍から補給水吐水部６１３ａから離れる側に、円弧状に延びる。ガイド壁６３５は、補給水吐水部６１３ａ側の面が、補給水吐水部６１３ａから吐出される補給水の方向に沿うように形成され、補給水吐水部６１３ａから離れるに従って補給水吐水部６１３ａの吐出口に対向するように湾曲している。
【０１０５】
以上のように構成される水流調整機構６Ａの補給水吐水部６１３ａ及びガイド壁６３５においては、補給水吐水部６１３ａは、ベースプレート３の中央側に補給水を吐出し、ガイド壁６３５は、ベースプレート３から上方に立ち上がるように形成され補給水吐水部６１３ａから吐出される補給水の流れをガイドする。
そのため、補給水吐水部６１３ａから吐出される補給水は、ベースプレート３の中央側に吐出され、ガイド壁６３５に沿ってガイドされる。ガイド壁６３５に衝突して上方側に跳ねた補給水は、洗浄水タンク４のタンク凹部４０５を構成する第１壁部４０５ａ、第２壁部４０５ｂ及び第３壁部４０５ｃにより、ベースプレート３の外部への飛び跳ねが抑制される。
【０１０６】
以上、本発明の便器洗浄装置１の好ましい実施形態について説明したが、本発明は、上述した実施形態に制限されるものではなく、適宜変更が可能である。
例えば、前記実施形態においては、ベースプレート３に補給水を供給するように構成したが、これに限定されない。例えば、ベースプレート３を用いずに、水流調整機構６から便器２までをホースで接続してホースを介して補給水を流通させたり、水流調整機構６から便器２と洗浄水タンク４との途中の流路までをホースで接続してホースを介して補給水を流通させてもよい。
【符号の説明】
【０１０７】
１  便器洗浄装置
２ａ  便器本体
３  ベースプレート
４  洗浄水タンク
６、６Ａ  水流調整機構
７  操作ダイヤル部（操作部）
３５０  導出管挿通開口部
３６１  第１導出開口部（補給水排出開口部）
３８１  第１環状リブ（環状リブ）
４１０  ディストリビュータ（導出管）
５１０  給水流路部
５１１  主流路部
５１２  分岐流路部
６１３ａ  補給水吐水部（吐水部）
６３０  水流抑制部（抑制部）
６３５  ガイド壁
【図１】
0006659311.tif 000002
【図２】
0006659311.tif 000003
【図３】
0006659311.tif 000004
【図４】
0006659311.tif 000005
【図５】
0006659311.tif 000006
【図６】
0006659311.tif 000007
【図７】
0006659311.tif 000008
【図８】
0006659311.tif 000009
【図９】
0006659311.tif 000010
【図１０】
0006659311.tif 000011
【図１１】
0006659311.tif 000012